(57)【要約】【課題】拭き残りを抑制できる洗浄剤を提供する。【解決手段】ポリオキシアルキレンアルキルエーテル：２．５重量％以上６．０重量％以下と、メタケイ酸ナトリウム・９Ｈ2Ｏ：２．５重量％以上４．０重量％以下と、３−メトキシ−３−メチル−１−ブタノール：５．０重量％以上２８．５重量％以下と、を含有することを特徴とする。また、例えば前記３−メトキシ−３−メチル−１−ブタノールの含有量は、５．０重量％以上２０．０重量％以下であることを特徴とする。【選択図】なし【特許請求の範囲】
【請求項１】
ポリオキシアルキレンアルキルエーテル：２．５重量％以上６．０重量％以下と、
メタケイ酸ナトリウム・９Ｈ2Ｏ：２．５重量％以上４．０重量％以下と、
３−メトキシ−３−メチル−１−ブタノール：５．０重量％以上２８．５重量％以下と、
を含有することを特徴とする洗浄剤。
【請求項２】
前記３−メトキシ−３−メチル−１−ブタノールの含有量は、５．０重量％以上２０．０重量％以下であること
を特徴とする請求項１記載の洗浄剤。
【請求項３】
前記ポリオキシアルキレンアルキルエーテルの含有量は、２．５重量％以上５．０重量％以下であり、
前記メタケイ酸ナトリウム・９Ｈ2Ｏの含有量は、３．１重量％以上４．０重量％以下であること
を特徴とする請求項２記載の洗浄剤。
【発明の詳細な説明】
【技術分野】
【０００１】
本発明は、洗浄剤に関する。
【背景技術】
【０００２】
従来、革製品等の汚れ落としに用いられる洗浄剤として、例えば特許文献１のスプレー用液体洗浄用組成物等が開示されている。
【０００３】
特許文献１に開示されたスプレー用液体洗浄組成物は、下記の（Ａ）成分と、（Ｂ）成分と、（Ｃ）成分とを含有することを特徴とする。（Ａ）最大繊維径が１０００ｎｍ以下で、数平均繊維径が２〜１００ｎｍのセルロース繊維であって、そのセルロースが、Ｉ型結晶構造を有するとともに、セルロース分子中のグルコースユニットのＣ６位の水酸基が選択的に酸化されてアルデヒド基およびカルボキシル基に変性されており、上記カルボキシル基量が０．６〜２．０ｍｍｏｌ／ｇの範囲である、セルロース繊維。（Ｂ）界面活性剤。（Ｃ）水。
【先行技術文献】
【特許文献】
【０００４】
【特許文献１】特開２０１１−０５７７４７号公報
【発明の概要】
【発明が解決しようとする課題】
【０００５】
しかしながら、革製品等の汚れ落としに洗浄剤を用いた場合、洗浄剤の拭き残りに起因するシミが発生する可能性がある。これにより、革製品等の美観性が低下する懸念がある。
【０００６】
この点、特許文献１に開示された技術では、洗浄剤を水ですすぎ洗いする旨が記載されており、例えば車内のシートや防水性を有しない製品等のようなすすぎ洗いができない製品への利用を想定していない。このため、拭き残りを抑制できる洗浄剤が望まれている。
【０００７】
そこで本発明は、上述した問題点に鑑みて案出されたものであり、その目的とするところは、拭き残りを抑制できる洗浄剤を提供するところにある。
【課題を解決するための手段】
【０００８】
請求項１記載の洗浄剤は、上述した課題を解決するために、ポリオキシアルキレンアルキルエーテル：２．５重量％以上６．０重量％以下と、メタケイ酸ナトリウム・９Ｈ2Ｏ：２．０重量％以上４．０重量％以下と、３−メトキシ−３−メチル−１−ブタノール：５．０重量％以上２８．５重量％以下と、を含有することを特徴とする。
【０００９】
請求項２記載の洗浄剤は、請求項１の発明において、前記３−メトキシ−３−メチル−１−ブタノールの含有量は、５．０重量％以上２０．０重量％以下であることを特徴とする。
【００１０】
請求項３記載の洗浄剤は、請求項２の発明において、前記ポリオキシアルキレンアルキルエーテルの含有量は、２．５重量％以上５．０重量％以下であり、前記メタケイ酸ナトリウム・９Ｈ2Ｏの含有量は、３．１重量％以上４．０重量％以下であることを特徴とする。
【発明の効果】
【００１１】
上述した構成からなる本発明を適用した洗浄剤は、製品の表面に付着した汚れを落とすとともに、洗浄剤の拭き残りを抑制することができる。これにより、製品の美観性を保つことが可能となる。
【発明を実施するための形態】
【００１２】
以下、本発明を適用した洗浄剤の実施形態について、詳細に説明する。
【００１３】
本発明を適用した洗浄剤は、ポリオキシアルキレンアルキルエーテル：２．５重量％以上６．０重量％以下と、メタケイ酸ナトリウム・９Ｈ2Ｏ：２．５重量％以上４．０重量％以下と、３−メトキシ−３−メチル−１−ブタノール：５．０重量％以上２８．５重量％以下と、を含有する。洗浄剤は、上記のほか、希釈剤として例えば水：６１．５重量％以上９０．０重量％以下を含有する。洗浄剤は、例えば水の含有量の一部に代えて、キレート剤（例えばエチレンジアミン四酢酸四ナトリウム塩）を含有してもよい。
【００１４】
洗浄剤は、主に本革及び合皮を含む革製品に付着した汚れを除去するために用いられるほか、例えばＡＳ樹脂（アクリロニトリル、スチレン）、ＰＰ（ポリプロピレン）、ＰＣ（ポリカーボネート）等の高分子物質を含むプラスチック製品や、無染色の天然繊維等を用いた布製品に用いられる。洗浄剤は、拭き取り性に優れており、洗浄剤の拭き残りに起因するシミの発生を抑制することができる。
【００１５】
以下、本発明を適用した洗浄剤における数値限定理由について説明する。
【００１６】
ポリオキシアルキレンアルキルエーテル：２．５重量％以上６．０重量％以下
ポリオキシアルキレンアルキルエーテルは、界面活性剤に分類され、革製品等に付着した汚れをミセルとして水中に浮かせるものである。ポリオキシアルキレンアルキルエーテルの含有量が２．５重量％未満の場合、革製品等に付着した汚れが浮遊しない。このため、汚れ除去性が低下する。また、ポリオキシアルキレンアルキルエーテルの含有量が６．０重量％を超える場合、洗浄後において革製品上に塗布した洗浄剤の拭き残りが発生し易くなるほか、汚れが革製品等に残り易くなる。このため、拭き取り性及び汚れ除去性が低下し、美観性の低下を引き起こす。よって、ポリオキシアルキレンアルキルエーテルの含有量は、２．５重量％以上６．０重量％以下とする。
【００１７】
メタケイ酸ナトリウム・９Ｈ2Ｏ：２．５重量％以上４．０重量％以下
メタケイ酸ナトリウム・９Ｈ2Ｏは、アルカリ剤に分類され、革製品等に付着した汚れを離間させるものである。メタケイ酸ナトリウム・９Ｈ2Ｏの含有量が２．５重量％未満の場合、革製品等に付着した汚れが離間しない。このため、汚れ除去性が低下する。また、メタケイ酸ナトリウム・９Ｈ2Ｏの含有量が４．０重量％を超える場合、洗浄剤の安定性が悪くなる。このため、洗浄剤が濁ったり沈殿物が発生したりすることで、汚れが革製品等に残り易くなるほか、洗浄剤の拭き残りが発生し易くなる。これにより、汚れ除去性及び拭き取り性が低下し、美観性の低下を引き起こす。よって、メタケイ酸ナトリウム・９Ｈ2Ｏの含有量は、２．５重量％以上４．０重量％以下とする。
【００１８】
３−メトキシ−３−メチル−１−ブタノール：５．０重量％以上２８．５重量％以下
３−メトキシ−３−メチル−１−ブタノールは、溶剤に分類され、特に油系の汚れの除去を促進するものである。３−メトキシ−３−メチル−１−ブタノールの含有量が５．０重量％未満の場合、油系の汚れを除去しきれない。このため、汚れ除去性が低下する。また、３−メトキシ−３−メチル−１−ブタノールの含有量が２８．５重量％を超える場合、洗浄剤の拭き残りが発生し易くなる。これにより、拭き取り性が低下し、美観性の低下を引き起こす。よって、３−メトキシ−３−メチル−１−ブタノールの含有量は、５．０重量％以上２８．５重量％以下とする。
【００１９】
水：６１．５重量％以上９０．０重量％以下
水は、希釈剤に分類され、例えば純水である。水の含有量は、他の成分の含有量に応じて調整される。上述した他の成分の含有量を踏まえ、水の含有量は、６１．５重量％以上９０．０重量％以下とする。
【００２０】
なお、本発明を適用した洗浄剤は、例えば３−メトキシ−３−メチル−１−ブタノールの含有量が５．０重量％以上２０．０重量％以下とすることで、本革製品の表面の損傷を抑制することができ、美観性を容易に保つことが可能となる。
【００２１】
このとき、ポリオキシアルキレンアルキルエーテルの含有量が２．５重量％以上５．０重量％以下、メタケイ酸ナトリウム・９Ｈ2Ｏの含有量が３．１重量％以上４．０重量％以下とすることで、汚れ除去性及び拭き取り性の向上をさらに図ることができる。
【実施例】
【００２２】
以下、本発明を適用した洗浄剤の特性について、実施例及び比較例を挙げて具体的に説明する。
【００２３】
本実施例において、洗浄剤に含有される各成分を所定の割合で混合し、本革製品、合皮製品、プラスチック製品、及び布製品に対する汚れ除去性、及び拭き取り性の２項目を評価した。各評価項目に用いたサンプル作成の手順は、「ＪＩＳＬ１９１９：繊維製品の防汚性試験方法」を参考に、下記方法に沿って実施した。
【００２４】
本革製品及び合皮製品の評価サンプルとして、約３年間使用された自動車用のレザーシートを準備し、６０ｍｍ×１００ｍｍに切り出したものを用いた。プラスチック製品の評価サンプルとして、約３年間使用された自動車のダッシュボードに、６０ｍｍ×１００ｍｍの内枠が形成されるようにマスキングテープを貼った。布製品の評価サンプルとして、約３年間使用された綿製のバッグを準備し、６０ｍｍ×１００ｍｍに切り出したものを用いた。
【００２５】
各評価サンプルにおいて、洗浄部（評価対象部）及び未洗浄部（評価基準部）を二分するためのマスキングテープを貼った。その後、洗浄部に各洗浄剤をスプレーにより１グラム噴射し、１０秒間置いた後、豚毛ブラシで力を入れずに５往復した。その後、水で湿らせたマイクロファイバータオルにて洗浄剤を拭き取り、乾いたタオルで洗浄部表面に残った水分を拭き取った。最後に、マスキングテープを剥がして各評価を実施した。
【００２６】
汚れ除去性の評価は、「ＪＩＳＬ０８０５：染色用グレースケール」を参考にした目視評価を用い、洗浄部と未洗浄部との外観を比較して１０段階で評価した。すなわち、評価１は洗浄部と未洗浄部との差が見えない状態を示し、評価２から評価１０へ増加するに伴い、洗浄部と未洗浄部の差が明確になった状態を示す。
【００２７】
拭き取り性の評価は、洗浄部において下記５レベルを基準とした目視を実施し、１０段階で評価した。すなわち、レベル１は目視で洗浄剤の残りが見える状態を示し、評価２とした。レベル２は目視では見えないが、触ると油分が残っており明らかに手に付着する状態を示し、評価４とした。レベル３は、目視では見えないが、油分が少し残っており、指を擦ると付着する状態を示し、評価６とした。レベル４は、手で触れても油分を確認できないが、水滴を垂らすと撥水する状態を示し、評価８とした。レベル５は、手で触れても油分を確認できず、水滴を垂らしても撥水しない状態を示し、評価１０とした。
【００２８】
また、レベル１に比べて明らかに洗浄剤の残りが見える状態を、評価１とした。レベル１とレベル２との間の状態を、評価３とした。レベル２とレベル３との間の状態を、評価５とした。レベル３とレベル４との間の状態を、評価７とした。レベル４とレベル５との間の状態を、評価９とした。
【００２９】
なお、参考として、本革製品の損傷性を評価した。損傷性の評価は、洗浄部において下記５レベルを基準とした目視を実施し、１０段階で評価した。すなわち、レベル１は色合いが濃くなっており、擦った部分が荒れている状態を示し、評価２とした。レベル２は色合いが若干濃くなっており、擦った部分が少し異なる感触の状態を示し、評価４とした。レベル３は、色合いの変化はないが、擦った部分が少し荒れた感じになっている状態を示し、評価６とした。レベル４は、色合いの変化も擦りの変化もないが若干風合いの差が感じられる状態を示し、評価８とした。レベル５は、色合い、擦り、風合いの変化もなくしっとり感が出ている状態を示し、評価１０とした。
【００３０】
また、レベル１に比べて色合いが明らかに濃く、擦った部分が明らかに荒れている状態を、評価１とした。レベル１とレベル２との間の状態を、評価３とした。レベル２とレベル３との間の状態を、評価５とした。レベル３とレベル４との間の状態を、評価７とした。レベル４とレベル５との間の状態を、評価９とした。
【００３１】
【表１】
2019094435.tif 000002
表１は、本革製品を評価サンプルとしたときの評価結果を示す。表１に示すように、比較例１〜５では、ポリオキシアルキレンアルキルエーテルの含有量が２．５重量％未満、メタケイ酸ナトリウム・９Ｈ2Ｏの含有量が２．５重量％未満、及び３−メトキシ−３−メチル−１−ブタノールの含有量が５．０重量％未満の少なくとも何れかである。このとき、評価サンプルにおける汚れ除去性が６未満であり、本革製品の美観性を保てないことが確認された。
【００３２】
比較例６では、メタケイ酸ナトリウム・９Ｈ2Ｏの含有量が４．１重量％である。このとき、評価サンプルにおける汚れ除去性が５、及び拭き取り性が５であり、本革製品の美観性を保てないことが確認された。
【００３３】
比較例７では、ポリオキシアルキレンアルキルエーテルの含有量が６．１重量％である。このとき、評価サンプルにおける拭き取り性が５であり、本革製品の美観性を保てないことが確認された。
【００３４】
比較例８では、３−メトキシ−３−メチル−１−ブタノールの含有量が２９．０重量％である。このとき、評価サンプルにおける拭き取り性が５であり、革製品の美観性を保てないことが確認された。
【００３５】
上述した比較例１〜８に対し、本実施例１〜８では、ポリオキシアルキレンアルキルエーテルの含有量が２．５重量％以上６．０重量％以下であり、メタケイ酸ナトリウム・９Ｈ2Ｏの含有量が２．５重量％以上４．０重量％以下であり、３−メトキシ−３−メチル−１−ブタノールの含有量が５．０重量％以上２８．５重量％以下である。このとき、評価サンプルにおける汚れ除去性及び拭き取り性が６以上であり、本革製品の美観性を保てることが確認された。
【００３６】
また、本実施例１〜６では、３−メトキシ−３−メチル−１−ブタノールの含有量が５．０重量％以上２０．０重量％以下である。このとき、評価サンプルにおける損傷性（参考値）が６以上であり、本革製品の美観性を容易に保てることが確認された。
【００３７】
また、本実施例２〜５では、ポリオキシアルキレンアルキルエーテルの含有量が２．５重量％以上５．０重量％以下であり、メタケイ酸ナトリウム・９Ｈ2Ｏの含有量が３．１重量％以上４．０重量％以下である。このとき、評価サンプルにおける汚れ除去性及び拭き取り性が８以上であり、本製品の美観性をさらに容易に保てることが確認された。
【００３８】
【表２】
2019094435.tif 000003
表２は、合皮製品を評価サンプルとしたときの評価結果を示す。表２に示すように、本実施例９〜１２では、ポリオキシアルキレンアルキルエーテルの含有量が２．５重量％以上６．０重量％以下であり、メタケイ酸ナトリウム・９Ｈ2Ｏの含有量が２．５重量％以上４．０重量％以下であり、３−メトキシ−３−メチル−１−ブタノールの含有量が５．０重量％以上２８．５重量％以下である。このとき、評価サンプルにおける汚れ除去性が７以上、及び拭き取り性が８以上であり、合皮製品の美観性を保てることが確認された。
【００３９】
【表３】
2019094435.tif 000004
表３は、プラスチック製品を評価サンプルとしたときの評価結果を示す。表３に示すように、本実施例１３〜１６では、ポリオキシアルキレンアルキルエーテルの含有量が２．５重量％以上６．０重量％以下であり、メタケイ酸ナトリウム・９Ｈ2Ｏの含有量が２．５重量％以上４．０重量％以下であり、３−メトキシ−３−メチル−１−ブタノールの含有量が５．０重量％以上２８．５重量％以下である。このとき、評価サンプルにおける汚れ除去性が８以上、及び拭き取り性が１０であり、プラスチック製品の美観性を保てることが確認された。
【００４０】
【表４】
2019094435.tif 000005
表４は、布製品を評価サンプルとしたときの評価結果を示す。表４に示すように、本実施例１７〜２０では、ポリオキシアルキレンアルキルエーテルの含有量が２．５重量％以上６．０重量％以下であり、メタケイ酸ナトリウム・９Ｈ2Ｏの含有量が２．５重量％以上４．０重量％以下であり、３−メトキシ−３−メチル−１−ブタノールの含有量が５．０重量％以上２８．５重量％以下である。このとき、評価サンプルにおける汚れ除去性が８以上、及び拭き取り性が７以上であり、合皮製品の美観性を保てることが確認された。なお、本評価サンプルにおける拭き取り性の評価では、水滴を垂らしたときの撥水する状態を確認できないため、評価８〜１０の検証はできなかった。
【００４１】
上記評価結果より、実施例１〜２０では、何れもポリオキシアルキレンアルキルエーテルの含有量が２．５重量％以上６．０重量％以下であり、メタケイ酸ナトリウム・９Ｈ2Ｏの含有量が２．５重量％以上４．０重量％以下であり、３−メトキシ−３−メチル−１−ブタノールの含有量が５．０重量％以上２８．５重量％以下である。このとき、評価サンプルにおける汚れ除去性及び拭き取り性が６以上であり、本皮製品、合皮製品、プラスチック製品、及び布製品の美観性を保てることが確認された。
【００４２】
以上、本実施形態における洗浄剤によれば、製品の表面に付着した汚れを落とすとともに、洗浄剤の拭き残りを抑制することができる。これにより、製品の美観性を保つことが可能となる。なお、上述した製品のほか、本実施形態における洗浄剤に対して耐性を有する製品であれば、洗浄剤の拭き残りを抑制することができ、製品の美観性を保つことが可能となる。
【００４３】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
本革製品に用いられる洗浄剤であって、
ポリオキシアルキレンアルキルエーテル：２．５重量％以上５．０重量％以下と、
メタケイ酸ナトリウム・９Ｈ2Ｏ：３．１重量％以上４．０重量％未満と、
３−メトキシ−３−メチル−１−ブタノール：５．０重量％以上２０．０重量％以下と、
を含有することを特徴とする洗浄剤。
【手続補正２】
【補正対象書類名】明細書
【補正対象項目名】０００８
【補正方法】変更
【補正の内容】
【０００８】
請求項１記載の洗浄剤は、上述した課題を解決するために、本革製品に用いられる洗浄剤であって、ポリオキシアルキレンアルキルエーテル：２．５重量％以上５．０重量％以下と、メタケイ酸ナトリウム・９Ｈ2Ｏ：３．１重量％以上４．０重量％未満と、３−メトキシ−３−メチル−１−ブタノール：５．０重量％以上２０．０重量％以下と、を含有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】